(57)【要約】      （修正有）【課題】刈刃部および刃先の研磨が不要な草刈機の草刈刃を提供する。【解決手段】草刈機の草刈刃１０は、プロペラ状に回転する刈刃本体１２と、刈刃部１４とを備えるものである。刈刃部１４は、鋸目状に形成された複数の刃先１４ａ，１４ｂ，１４ｃを有する。草刈刃１０を回転させると、先頭の刃先１４ａによって草が刈り取られる。刃先１４ａの角部が摩耗・磨滅すると、磨滅した刃先１４ａの角部に代わり、刃先１４ａの後方の刃先１４ｂの角部が草を刈り取る。また、刃先１４ｂの角部が摩耗・磨滅すると、磨滅した刃先１４ｂの角部に代わり、後尾の刃先１４ｃの角部が現れる。これにより、刈刃部１４が磨滅するまで、研磨をすることなく、草の刈取作業を行うことができる。【選択図】図４
2013051886.tif 000002
【特許請求の範囲】
【請求項１】
プロペラ状に回転する板状の刈刃本体と、その刈刃本体の先端に鋸目状に複数の刃先を設ける刈刃部とを備えることを特徴とする草刈機の草刈刃。
【請求項２】
前記刈刃本体の端部に前記刈刃部を着脱可能に取り付けることを特徴とする請求項１記載の草刈機の草刈刃。
【請求項３】
前記刃先に超硬チップを取り付けることを特徴とする請求項１記載の草刈機の草刈刃。
【発明の詳細な説明】
【技術分野】
【０００１】
本発明は、プロペラ状に回転して草を刈り取る草刈機の草刈刃に関するものである。
【背景技術】
【０００２】
乗用式の草刈機において、プロペラ状に回転して草を刈り取る草刈刃が用いられている。図５は、従来の草刈機の草刈刃の平面図である。草刈刃５０は、板状のものである。草刈刃５０の中心には図示しない草刈機の回転軸が固定される軸穴５０ａが形成されている。草刈刃５０は、刈刃本体５２と、刈刃本体５２の両端部に形成される刈刃部５４とから構成されている。軸穴５０ａを中心にプロペラ状に回転する草刈刃５０は、地面に対峙するように草刈機に取り付けられている。刈刃部５４の面（カッター部）には、回転時に接触する草を刈り取る刃先５４ａが形成されている。図５中の矢印は回転方向を示すものであり、図５において、草刈刃５０は時計回り（右回り）に回転する。
【０００３】
草刈刃５０は鋼材で形成されているため、刈刃部５４は、草を刈り取る際、草との摩擦によって刈刃部５４の角部や刃先５４ａが摩耗・摩滅する（図５の点線部分）。刈刃部５４が磨滅すると、切れ味が悪くなるため、従来は、刈刃部５４および刃先５４ａが磨滅する度に刈刃部５４および刃先５４ａを研磨していた。また、研磨の度に、草刈機から草刈刃５０を脱着していた。研磨・脱着作業は面倒であり、作業効率を低下させる原因となっていた。
【０００４】
上記問題を解消するため、刈刃部を有する草刈機の草刈刃が提供されている（例えば、特許文献１及び２）
【先行技術文献】
【特許文献】
【０００５】
【特許文献１】実用新案登録第３１６６６７０号公報
【特許文献２】実用新案登録第３０３８８４０号公報
【発明の概要】
【発明が解決しようとする課題】
【０００６】
特許文献１の草刈機用刃は、その刈刃部を三味線のバチ（撥）のように先端に向かってその幅を徐々に大きく形成したものである。これにより、草刈刃５０が図５に示す磨滅後の形状になるまで、すなわち切れ味が鈍くなるまでの使用時間を延ばすことができるため、作業効率を改善することができる。
【０００７】
特許文献２の草刈機の草刈刃は、図５の刈刃部５４の刃先５４ａに超硬合金製のチップをロウ付けしたものである。これにより、刈刃部５４および刃先５４ａの摩耗および切れ味の低下を抑制することができる。
【０００８】
しかし、特許文献１の草刈機用刃では、刈刃部が図５に示す磨滅後の形状になると、刈刃部の研磨が必要となる。
また、特許文献２の草刈機の草刈刃では、刈刃部にロウ付けした超硬合金製のチップがはがれ落ちるおそれがある。チップがはがれ落ち、刈刃部が摩耗すると、研磨が必要となる。
【０００９】
本発明は、上記問題を解決するものであって、刈刃部および刃先の研磨が不要な草刈機の草刈刃を提供することを目的とするものである。
【課題を解決するための手段】
【００１０】
本発明の草刈機の草刈刃は、プロペラ状に回転する板状の刈刃本体と、その刈刃本体の先端に鋸目状に複数の刃先を設ける刈刃部とを備えるようにしたものである。
また、前記刈刃本体の端部に前記刈刃部を着脱可能に取り付けるようにしたものである。
また、前記刃先に超硬チップを取り付けるようにしたものである。
【発明の効果】
【００１１】
本発明の草刈機の草刈刃は、プロペラ状に回転する刈刃本体の先端に鋸目状に形成される刃先を複数設ける刈刃部を有するものである。刈刃部の刃先は、先頭の刃先、その後方の刃先、そして後尾の刃先の順に摩耗・磨滅するように形成されている。これにより、前方の刃先が磨滅しても、その磨滅した刃に代わり後方の刃先が草を刈り取ることから、摩耗した刃先を研磨する必要がなく、また草刈刃の切れ味が低下することもない。本発明の草刈刃は、刈刃部が磨滅するまで研磨することなく使用することができることから、本発明により作業効率の高い草刈機の草刈刃を提供することができる。
また、草刈刃を取り付けたまま刈刃部を交換できるように、刈刃部を刈刃本体に着脱可能に取り付ける。これにより、草刈刃の脱着作業による作業効率の低下を防止することができる。
また、刈刃に人口ダイヤモンド等の超硬チップを取り付けることにより、刃先の磨滅を抑制することができる。
【図面の簡単な説明】
【００１２】
【図１】本発明の草刈機の草刈刃の正面図である。
【図２】本発明の草刈機の草刈刃の平面図である。
【図３】図２の刈刃部の拡大図である。
【図４】図２の刈刃部の使用状態を表わす図である。
【図５】従来の刈刃部の使用状態を表わす図である。
【発明を実施するための形態】
【００１３】
本発明は、草刈刃の刈刃部を研磨することなく、草刈りできることを実現するものである。
【実施例】
【００１４】
本発明の草刈機の草刈刃を図に基づいて説明する。図１は、本発明の草刈機の草刈刃の正面図である。図２は、本発明の草刈機の草刈刃の平面図である。図３は、図２の刈刃部の拡大図である。図４は、図２の刈刃部の使用状態を表わす図である。図２乃至図４中の矢印は、草刈刃および刈刃部の回転方向を示すものである。
本発明の草刈機の草刈刃１０は、刈刃本体１２と、刈刃部１４とを備えるものである。刈刃本体１２は、板状のものであり、図５の草刈刃５０と同様、軸穴１０ａを中心にプロペラ状に回転するものである。
刈刃部１４は、刈刃本体１２の先端に設けられている（図１、図２）。刈刃部１４は、鋸目状に形成された複数の刃先１４ａ，１４ｂ，１４ｃを有する（図３）。図３の先頭の刃先１４ａ，その後方の刃先１４ｂ，後尾の刃先１４ｃは、同じ形状・大きさのものであり、刈刃本体１２の先端に丸鋸の歯のように形成されている。草刈刃１０が回転すると、先頭の刃先１４ａにより草が刈り取られる。
【００１５】
図１乃至図４では、刈刃部１４は、刈刃本体１２と刈刃本体１２と別個に形成されており、ボルト１６ａとナット１６ｂを用いて、刈刃本体１２に着脱可能に固定（締結）されている。刈刃本体１２および刈刃部１４には、ボルト１６ａを挿入する貫通穴が設けられている（図示せず）。図１乃至図４において、ボルト１６ａは、刈刃部１４および刈刃本体１２の下面側から貫通穴に挿入され、刈刃本体１２の上面側に現れるボルト１６ａにナット１６ｂが取付けられている。ボルト１６ａには、六角穴付ボルト（キャップボルト）を使用するのが好ましい。六角ボルトでは、その頭部の六角形部分が摩耗し、刈刃部１４を着脱できないおそれがある。六角穴付ボルトは、円柱形の頭部に六角形の穴が形成されているものであり、頭部の六角形部分が摩耗することはなく、刈刃部１４の着脱が可能となる。刈刃部１４の着脱（締め付け又は取り外し）の際には、六角棒スパナ（六角レンチ）を使用する。なお、ボルト１６ａは、四角穴付ボルトであってもよい。
これにより、草刈機から草刈刃１０を取り外すことなく、刈刃部１４を新しいものに交換することができ、草刈刃１０の脱着作業による作業効率の低下を防止できる。
なお、図１乃至図４の刈刃部１４は、２．８ｍｍ〜３．０ｍｍの厚さを有するものであるが、この厚さに限定するものではない。
【００１６】
刃先１４ａ，１４ｂ，１４ｃには、丸鋸の刃（超硬刃）と同様、超硬チップ１８を取り付ける（図３）。これにより、刈刃部１４および刃先１４ａ，１４ｂ，１４ｃの磨滅を抑制することができ、従来の草刈刃に比べ切れ味を長期間持続させることができる。
【００１７】
本発明の草刈機の草刈刃の使用状態を図４に基づいて説明する。
本発明の草刈機の草刈刃１０を回転させると、先頭の刃先１４ａによって草が刈り取られる。刃先１４ａの角部が摩耗・磨滅すると、磨滅した刃先１４ａの角部に代わり、刃先１４ａの後方の刃先１４ｂの角部が草を刈り取る（図４（ａ））。このとき、草刈りは、刃先１４ａと刃先１４ｂによって行われる。
刃先１４ａが磨滅し、刃先１４ｂの角部が摩耗・磨滅すると、磨滅した刃先１４ｂの先端に代わり、後尾の刃先１４ｃの角部が草を刈り取る（図４（ｂ））。このとき、草刈りは、刃先１４ｂと刃先１４ｃによって行われる。
刃先１４ｂが磨滅すると、刃先１４ｃによって草刈りが行われる（図４（ｃ））。
以上のように、本発明では、前方の刃先１４ａや刃先１４ｂが摩耗・磨滅しても、磨滅した部分に代わって後方の刃先１４ｂや刃先１４ｃが草刈りを行う。また、前方の刃先１４ａ，１４ｂの摩耗によって、切れ味が低下することもない。
従って、本発明の草刈機の草刈刃によると、刈刃部が磨滅するまで、刈刃部を研磨することなく刈取作業を行うことができ、また、研磨に伴う草刈刃の脱着作業も不要となることから、従来の草刈刃より作業効率の良い草刈刃を提供することができる。
【符号の説明】
【００１８】
１０  草刈刃
１２  刈刃本体
１４  刈刃部
１４ａ、１４ｂ、１４ｃ  刃先
【図１】
2013051886.tif 000003
【図２】
2013051886.tif 000004
【図３】
2013051886.tif 000005
【図４】
2013051886.tif 000006
【図５】
2013051886.tif 000007
【手続補正書】
【提出日】平成24年4月23日(2012.4.23)
【手続補正１】
【補正対象書類名】特許請求の範囲
【補正対象項目名】全文
【補正方法】変更
【補正の内容】
【特許請求の範囲】
【請求項１】
プロペラ状に回転する板状の刈刃本体と、その刈刃本体の先端に設ける刈刃部であって当該刈刃部の先端に回転方向の草を刈り取るための複数の刃先を鋸目状に形成するものとを備え、前方の刃先が回転方向の草を刈り取るように設け、刈刃部及び前方の刃先が摩耗・磨滅したときに前方の刃先が磨滅した部分に代わって後方の刃先が草を刈り取るように設けることを特徴とする草刈機の草刈刃。
【請求項２】
前記刈刃本体の端部に前記刈刃部を着脱可能に取り付けることを特徴とする請求項１記載の草刈機の草刈刃。
【請求項３】
前記刃先に超硬チップを取り付けることを特徴とする請求項１記載の草刈機の草刈刃。
【手続補正２】
【補正対象書類名】明細書
【補正対象項目名】００１０
【補正方法】変更
【補正の内容】
【００１０】
本発明の草刈機の草刈刃は、プロペラ状に回転する板状の刈刃本体と、その刈刃本体の先端に設ける刈刃部であって当該刈刃部の先端に回転方向の草を刈り取るための複数の刃先を鋸目状に形成するものとを備え、前方の刃先が回転方向の草を刈り取るように設け、刈刃部及び前方の刃先が摩耗・磨滅したときに前方の刃先が磨滅した部分に代わって後方の刃先が草を刈り取るように設けるようにしたものである。
また、前記刈刃本体の端部に前記刈刃部を着脱可能に取り付けるようにしたものである。
また、前記刃先に超硬チップを取り付けるようにしたものである。